(57)【要約】【課題】本発明は、かかる事情を鑑みてなされたものであり、場所を限定されず、より高精度にユーザに入浴に関する情報を提示可能なウェアラブルデバイス、入浴ナビゲーションシステム、入浴ナビゲーション方法、及びプログラムを提供することを目的とする。【解決手段】本発明によれば、ユーザが装着可能なウェアラブルデバイスであって、生体情報測定部と、記憶部と、制御部と、情報提示部とを備え、前記生体情報測定部は、前記ユーザの生体情報を測定し、前記記憶部は、入浴に関する医学的知見と入浴体験者の主観的知見とを含む知見情報に基づいて生成された特徴データの一部又は全部を記憶し、前記制御部は、前記生体情報測定部より測定された前記生体情報と、前記記憶部に記憶された前記特徴データとに基づいて、前記ユーザに対する入浴の危険性及び／又は快適性に関する情報を含む入浴判定情報を判定し、前記情報提示部は、前記入浴判定情報に基づいて適切及び／又は不適切な入浴条件に関する情報を提示する、デバイスが提供される。【選択図】図１
2019200448.tif 000002
【特許請求の範囲】
【請求項１】
ユーザが装着可能なウェアラブルデバイスであって、
生体情報測定部と、記憶部と、制御部と、情報提示部とを備え、
前記生体情報測定部は、前記ユーザの生体情報を測定し、
前記記憶部は、入浴に関する医学的知見と入浴体験者の主観的知見とを含む知見情報に基づいて生成された特徴データの一部又は全部を記憶し、
前記制御部は、前記生体情報測定部より測定された前記生体情報と、前記記憶部に記憶された前記特徴データとに基づいて、前記ユーザに対する入浴の危険性及び／又は快適性に関する情報を含む入浴判定情報を判定し、
前記情報提示部は、前記入浴判定情報に基づいて適切及び／又は不適切な入浴条件に関する情報を提示する、
デバイス。
【請求項２】
請求項１に記載のデバイスにおいて、
前記知見情報は、少なくとも第１及び第２情報に分類され、
前記第１情報とは、前記医学的知見と、前記主観的知見のうちの一部とを含むもので、
当該一部には、前記入浴体験者を対象としたアンケート結果、及びソーシャルネットワークサービスの投稿内容が含まれ、
前記第２情報とは、過去に複数のユーザが行った入浴に関する客観的情報と、それらのユーザの前記入浴に対する無意識の主観的情報とを紐づけたものである、
デバイス。
【請求項３】
請求項２に記載のデバイスにおいて、
前記特徴データは、
前記第１情報に基づいて入浴条件と入浴による効果の予測モデルを立て、
続いて、前記予測モデルを基に、前記第２情報に対してニューラルネットワークを用いた特徴抽出を実行する、
ことによって生成されたデータベースを構成するデータである、
デバイス。
【請求項４】
請求項１〜請求項３の何れか１つに記載のデバイスにおいて、
前記情報提示部は、前記不適切な入浴条件における過去の事故例に関する情報を提示するように構成される、
デバイス。
【請求項５】
請求項１〜請求項４の何れか１つに記載のデバイスにおいて、
前記情報提示部は、入浴施設名、水温、水質及び環境温度の少なくとも１つに関する情報を提示するように構成される、
デバイス。
【請求項６】
請求項１〜請求項５の何れか１つに記載のデバイスにおいて、
通信部を更に備え、この通信部は、
ネットワークに接続され、且つ
所定の浴場における入浴施設名、水温、水質及び環境温度の少なくとも１つを含む入浴条件情報を受信可能に構成され、
前記制御部は、前記生体情報と、前記特徴データと、前記通信部が受信した入浴条件情報とに基づいて、当該入浴条件情報に係る入浴条件下での前記ユーザに対する入浴の危険性を判定する、
デバイス。
【請求項７】
請求項６に記載のウェアラブルデバイスにおいて、
位置情報取得部を更に備え、この位置情報取得部は、前記ユーザの位置情報を取得可能に構成され、
前記制御部は、前記位置情報に基づいて、前記ユーザが入浴を所望する又は入浴中の浴場を特定し、
前記通信部は、前記所望する又は入浴中の浴場の入浴施設名、水温、水質及び環境温度の少なくとも１つを含む入浴条件情報を受信可能に構成される、
デバイス。
【請求項８】
請求項６又は請求項７に記載のウェアラブルデバイスにおいて、
前記通信部は、前記ネットワークを介して外部サーバから新たな特徴データを受信し、
前記記憶部は、
前記新たな特徴データを記憶するか、又は
既に記憶している前記特徴データを前記新たな特徴データに更新して記憶する、
デバイス。
【請求項９】
請求項１〜請求項８の何れか１つに記載のウェアラブルデバイスにおいて、
前記制御部は、前記生体情報と、前記特徴データと、所定の浴場における水温とに基づいて、前記ユーザに対する入浴の危険性を判定する、
デバイス。
【請求項１０】
請求項９に記載のウェアラブルデバイスにおいて、
前記所定の浴場における水温は、次の（１）及び（２）の少なくとも一方によって測定されたものである、
（１）当該ウェアラブルデバイスに設けられた温度センサ又は外部の温度センサ
（２）当該ウェアラブルデバイスに設けられた撮像部又は外部の撮像装置を用いて、前記水温の表示計を読み取ること
デバイス。
【請求項１１】
請求項１〜請求項１０の何れか１つに記載のデバイスにおいて、
前記生体情報は、心拍数、運動量、血圧、血中酸素濃度、及び血中アルコール濃度のうちの少なくとも１つを含む、
デバイス。
【請求項１２】
入浴ナビゲーションシステムであって、
サーバと、ユーザが装着可能なウェアラブルデバイスとを備え、これらがネットワークを介して接続され、
前記サーバは記憶部を備え、この記憶部は、入浴に関する医学的知見と入浴体験者の主観的知見とを含む知見情報に基づいて生成された特徴データを記憶可能に構成され、
前記ウェアラブルデバイスは、生体情報測定部と、通信部と、情報提示部とを備え、
前記生体情報測定部は、前記ユーザの生体情報を測定し、
前記通信部は、前記ネットワークを介して前記サーバと前記生体情報及び／又は前記特徴データを送受信可能に構成され、
前記情報提示部は、入浴判定情報に基づいて適切及び／又は不適切な入浴条件に関する情報を提示し、
前記ウェアラブルデバイス及び前記サーバの少なくとも一方は、制御部を更に備え、
前記入浴判定情報は、入浴の危険性及び／又は快適性に関する情報を含み、前記生体情報と前記特徴データとに基づいて前記制御部によって判定される、
システム。
【請求項１３】
請求項１２に記載のシステムにおいて、
前記ウェアラブルデバイスは記憶部を更に備え、この記憶部は、前記サーバから前記通信部が受信した前記特徴データの一部又は全部を記憶するように構成される、
システム。
【請求項１４】
請求項１２又は請求項１３に記載のシステムにおいて、
前記サーバの記憶部に記憶された前記特徴データは、前記ネットワークを介して追加、修正、削除を含む各情報の更新が可能に構成される、
システム。
【請求項１５】
入浴ナビゲーション方法であって、判定ステップと、情報提示ステップとを備え、
入浴に関する医学的知見と入浴体験者の主観的知見とを含む知見情報に基づいて決定されたデータを特徴データと定義した場合において、
前記判定ステップでは、前記ユーザの生体情報と、前記特徴データとに基づいて、前記ユーザに対する入浴の危険性及び／又は快適性に関する情報を含む入浴判定情報を前記ユーザの入浴前に判定し、
前記情報提示ステップでは、前記入浴判定情報に基づいて次の（１）及び（２）の少なくとも一方を提示し、
（１）危険な入浴条件についての過去の事故例に関する情報
（２）安全な及び／又は快適な入浴条件について、入浴施設名、水温、水質及び室温の少なくとも１つに関する情報
前記提示された情報に基づいて、前記ユーザに適切な入浴環境・入浴施設に誘導を促す、
方法。
【請求項１６】
コンピュータを生体情報測定部、判定部、情報提示部として機能させるためのプログラムであって、
前記生体情報測定部、前記判定部、及び前記情報提示部は、生体情報測定機能、判定機能、及び情報提示機能をそれぞれ備え、
入浴に関する医学的知見と入浴体験者の主観的知見とを含む知見情報に基づいて決定されたデータを特徴データと定義した場合において、
前記生体情報測定機能によって、ユーザの生体情報を測定させ、
前記判定機能によって、前記ユーザの生体情報と、前記特徴データとに基づいて、前記ユーザに対する入浴の危険性及び／又は快適性に関する情報を含む入浴判定情報を判定させ、
前記情報提示機能によって、前記入浴判定情報に基づいて適切な及び／又は不適切な入浴条件に関する情報を提示させる、
プログラム。
【発明の詳細な説明】
【技術分野】
【０００１】
本発明は、ウェアラブルデバイス、入浴ナビゲーションシステム、入浴ナビゲーション方法、及びプログラムに関する。
【背景技術】
【０００２】
入浴中の事故死は年間１９０００人と交通事故死の約４倍にのぼり、入浴者の健康状態と水浴内容（時間、温度、泉質、環境など）が適合しない「不適切な水浴」が数多く行われていると考えられる。
【０００３】
特許文献１には、入浴環境に起因するヒートショック防止装置が開示されている。このヒートショック防止装置は、入浴に係る脱衣場の温度と浴室の温度とを計測して、ヒートショックのおそれがある場合に警告を促すものである。
【先行技術文献】
【特許文献】
【０００４】
【特許文献１】特願２０１８−３５９８０号公報
【発明の概要】
【発明が解決しようとする課題】
【０００５】
しかしながら、特許文献１に開示されるヒートショック防止装置は、あくまでも温度だけを基準として一般的にヒートショックが起こりうる可能性がある条件に警告を発するに過ぎない。また、当該ヒートショック防止装置を設置した場所（通常では自宅の浴室）での使用に限られており、例えば、温泉施設や海水浴等においての事故を防ぐことができない。
【０００６】
本発明は、かかる事情を鑑みてなされたものであり、場所を限定されず、より高精度にユーザに入浴に関する情報を提示可能なウェアラブルデバイス、入浴ナビゲーションシステム、入浴ナビゲーション方法、及びプログラムを提供することを目的とする。
【課題を解決するための手段】
【０００７】
本発明の観点によれば、ユーザが装着可能なウェアラブルデバイスであって、生体情報測定部と、記憶部と、制御部と、情報提示部とを備え、前記生体情報測定部は、前記ユーザの生体情報を測定し、前記記憶部は、入浴に関する医学的知見と入浴体験者の主観的知見とを含む知見情報に基づいて生成された特徴データの一部又は全部を記憶し、前記制御部は、前記生体情報測定部より測定された前記生体情報と、前記記憶部に記憶された前記特徴データとに基づいて、前記ユーザに対する入浴の危険性及び／又は快適性に関する情報を含む入浴判定情報を判定し、前記情報提示部は、前記入浴判定情報に基づいて適切及び／又は不適切な入浴条件に関する情報を提示する、デバイスが提供される。
【０００８】
本観点に係るウェアラブルデバイスは、生体情報、並びに入浴に関する医学的知見及び入浴体験者の主観的知見を含む情報に基づいて生成された特徴データに基づいて、ユーザに対する入浴の危険性及び／又は快適性に関する情報を含む入浴判定情報を判定し、更にユーザに適切な情報を提示可能であることを特徴とする。このような構成を有するウェアラブルデバイスにより入浴中の事故を抑制することができる。
【０００９】
別の観点によれば、入浴ナビゲーションシステムであって、サーバと、ユーザが装着可能なウェアラブルデバイスとを備え、これらがネットワークを介して接続され、前記サーバは記憶部を備え、この記憶部は、入浴に関する医学的知見と入浴体験者の主観的知見とを含む知見情報に基づいて生成された特徴データを記憶可能に構成され、前記ウェアラブルデバイスは、生体情報測定部と、通信部と、情報提示部とを備え、前記生体情報測定部は、前記ユーザの生体情報を測定し、前記通信部は、前記ネットワークを介して前記サーバと前記生体情報及び／又は前記特徴データを送受信可能に構成され、前記情報提示部は、入浴判定情報に基づいて適切及び／又は不適切な入浴条件に関する情報を提示し、前記ウェアラブルデバイス及び前記サーバの少なくとも一方は、制御部を更に備え、前記入浴判定情報は、入浴の危険性及び／又は快適性に関する情報を含み、前記生体情報と前記特徴データとに基づいて前記制御部によって判定される、システムが提供される。
【００１０】
本観点に係るシステムは、生体情報、並びに入浴に関する医学的知見及び入浴体験者の主観的知見を含む情報に基づいて生成された特徴データに基づいて、ユーザに対する入浴の危険性及び／又は快適性に関する情報を含む入浴判定情報を判定し、更にユーザに適切な情報を提示可能であることを特徴とする。このような構成を有するシステムにより入浴中の事故を抑制することができる。
【００１１】
更に別の観点によれば、入浴ナビゲーション方法であって、判定ステップと、情報提示ステップとを備え、入浴に関する医学的知見と入浴体験者の主観的知見とを含む知見情報に基づいて決定されたデータを特徴データと定義した場合において、前記判定ステップでは、前記ユーザの生体情報と、前記特徴データとに基づいて、前記ユーザに対する入浴の危険性及び／又は快適性に関する情報を含む入浴判定情報を前記ユーザの入浴前に判定し、前記情報提示ステップでは、前記入浴判定情報に基づいて次の（１）及び（２）の少なくとも一方を提示し、（１）危険な入浴条件についての過去の事故例に関する情報（２）安全な及び／又は快適な入浴条件について、入浴施設名、水温、水質及び室温の少なくとも１つに関する情報前記提示された情報に基づいて、前記ユーザに適切な入浴環境・入浴施設に誘導を促す、方法が提供される。
【００１２】
本観点に係る方法では、生体情報、並びに入浴に関する医学的知見及び入浴体験者の主観的知見を含む情報に基づいて生成された特徴データに基づいて、ユーザに対する入浴の危険性及び／又は快適性に関する情報を含む入浴判定情報を判定し、更にユーザに適切な情報を提示し、これに基づいてユーザに適切な入浴環境・入浴施設への誘導を促すことを特徴とする。このような方法により入浴中の事故を抑制することができる。
【００１３】
更に別の観点によれば、コンピュータを生体情報測定部、判定部、情報提示部として機能させるためのプログラムであって、前記生体情報測定部、前記判定部、及び前記情報提示部は、生体情報測定機能、判定機能、及び情報提示機能をそれぞれ備え、入浴に関する医学的知見と入浴体験者の主観的知見とを含む知見情報に基づいて決定されたデータを特徴データと定義した場合において、前記生体情報測定機能によって、ユーザの生体情報を測定させ、前記判定機能によって、前記ユーザの生体情報と、前記特徴データとに基づいて、前記ユーザに対する入浴の危険性及び／又は快適性に関する情報を含む入浴判定情報を判定させ、前記情報提示機能によって、前記入浴判定情報に基づいて適切な及び／又は不適切な入浴条件に関する情報を提示させる、プログラムが提供される。
【００１４】
本観点に係るプログラムを用いてコンピュータに実行させることで、生体情報、並びに入浴に関する医学的知見及び入浴体験者の主観的知見を含む情報に基づいて生成された特徴データに基づいて、ユーザに対する入浴の危険性及び／又は快適性に関する情報を含む入浴判定情報を判定し、更にユーザに適切な情報を提示し、これに基づいてユーザに適切な入浴環境・入浴施設への誘導を促すことを特徴とする。このようなプログラムにより入浴中の事故を抑制することができる。
【図面の簡単な説明】
【００１５】
【図１】本発明の実施形態に係る入浴ナビゲーションシステムの構成概要図。
【図２】図１同様入浴ナビゲーションシステムの構成概要図であって、特にウェアラブルデバイスの構成が示されている。
【図３】端末の構成概要図。
【図４】端末を用いたＳＮＳ投稿（第１情報取得）の一例を示す図。
【図５】特定多数を対象とした温泉に関するアンケート結果：入浴した温泉の水温別感想。
【図６】特定多数を対象とした温泉に関するアンケート結果：温泉の利用頻度別感想。
【図７】特定多数を対象とした温泉に関するアンケート結果：入浴した温泉の入浴時間別感想。
【図８】ウェアラブルデバイスを用いた第２情報取得の模式図。
【図９】ニューラルネットワークを用いた特徴抽出の模式図。
【図１０】ウェアラブルデバイスの警告表示／情報提示の一例を示す模式図。
【図１１】ウェアラブルデバイスの警告表示／情報提示の一例を示す模式図。
【発明を実施するための形態】
【００１６】
以下、図面を用いて本発明の実施形態について説明する。以下に示す実施形態中で示した各種特徴事項は、互いに組み合わせ可能である。特に、本明細書において「部」とは、例えば、広義の回路によって実施されるハードウェア資源と、これらのハードウェア資源によって具体的に実現されうるソフトウェアの情報処理とを合わせたものを指す。また、本実施形態においては様々な情報を取り扱うが、これら情報は、０又は１で構成される２進数のビット集合体として信号値の高低によって表され、広義の回路上で通信・演算が実行されうる。
【００１７】
また、広義の回路とは、回路（Ｃｉｒｃｕｉｔ）、回路類（Ｃｉｒｃｕｉｔｒｙ）、プロセッサ（Ｐｒｏｃｅｓｓｏｒ）、及びメモリ（Ｍｅｍｏｒｙ）等を少なくとも適当に組み合わせることによって実現される回路である。すなわち、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＬＰＤ）、及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等を含むものである。
【００１８】
１．全体構成
第１節では、本実施形態に係る入浴ナビゲーションシステム１の全体構成について説明する。図１は、入浴ナビゲーションシステム１の構成概要を示す図である。入浴ナビゲーションシステム１は、図１に示されるように、ウェアラブルデバイス２と、データベースサーバ３と、端末４とを備え、何れの構成要素もインターネット（特許請求の範囲における「ネットワーク」の一例）に接続されている。以下、第１．１〜１．３節において、ウェアラブルデバイス２、データベースサーバ３及び端末４についてそれぞれ説明する。
【００１９】
１．１  ウェアラブルデバイス２
ウェアラブルデバイス２は、ユーザ（例えば、入浴をこれから行う又は所望する者）の腕等に装着可能に構成された装置であり、その形状が特に限定されるものではない。図２は、入浴ナビゲーションシステム１の構成概要を示す図であり、特にウェアラブルデバイス２の構成概要が示されている。図示の通り、ウェアラブルデバイス２は、通信部２１と、記憶部２２と、制御部２３と、生体情報測定部２４と、撮像部２５と、位置情報取得部２６と、情報提示部２７を有し、これらの構成要素がウェアラブルデバイス２の内部において通信バス２０を介して接続されている。以下、各構成要素について更に説明する。
【００２０】
＜通信部２１＞
通信部２１は、無線ＬＡＮネットワーク通信、ＬＴＥ／３Ｇ等のモバイル通信、Ｂｌｕｅｔｏｏｔｈ（登録商標）通信等を含む複数の通信手段の集合として実施することが好ましい。特に、ＬＴＥ／３Ｇ等のモバイル通信によってインターネットと接続されることで、使用場所の制限がほとんどなくデータベースサーバ３との情報の送受信が可能な構成を有するとよい。
【００２１】
＜記憶部２２＞
記憶部２２は、特徴データを記憶する。ここで特徴データについて補足をする。特徴データは、データベースサーバ３から通信部２１を介して受信したものであり、データベースサーバ３に記憶されるものの全部でもよいし一部でもよい。より詳細には、データベースサーバ３には特徴データのマスターデータが存在している。そのため、初回はデータベースサーバ３における特徴データをインターネットを介してダウンロードするとよい。そして、当該マスターデータは随時更新されていくため、定期的に自動で又は必要に応じてインターネットを介して、データベースサーバ３における特徴データの最新データに同期されることが好ましい。他にも制御部２３が実行するための種々のプログラム等を記憶する。これは、例えばソリッドステートドライブ（Ｓｏｌｉｄ  Ｓｔａｔｅ  Ｄｒｉｖｅ：ＳＳＤ）等のストレージデバイスとして、或いは、プログラムの演算に係る一時的に必要な情報（引数、配列等）を記憶するランダムアクセスメモリ（Ｒａｎｄｏｍ  Ａｃｃｅｓｓ  Ｍｅｍｏｒｙ：ＲＡＭ）等のメモリとして実施されうる。また、これらの組合せであってもよい。
【００２２】
＜制御部２３＞
制御部２３は、ウェアラブルデバイス２に関連する全体動作の処理・制御を行う。制御部２３は、例えば不図示の中央処理装置（Ｃｅｎｔｒａｌ  Ｐｒｏｃｅｓｓｉｎｇ  Ｕｎｉｔ：ＣＰＵ）である。制御部２３は、記憶部２２に記憶された所定のプログラムを読み出すことによって、ウェアラブルデバイス２に係る種々の機能を実現する。特に制御部２３は、後述の生体情報測定部２４によって測定された生体情報（バイタルデータ）と、記憶部２２に記憶された特徴データとに基づいて、ユーザに対する入浴の危険性を判定する。なお、図２においては、単一の制御部２３として表記されているが、実際はこれに限るものではなく、機能ごとに複数の制御部２３を有するように実施してもよい。またそれらの組合せであってもよい。
【００２３】
＜生体情報測定部２４＞
生体情報測定部２４は、ウェアラブルデバイス２を装着しているユーザの生体情報を取得する。ここでいうユーザの生体情報とは、心拍数、運動量、血圧、血中酸素濃度、及び血中アルコール濃度のうちの少なくとも１つを含む。したがって、生体情報測定部２４は、これらの測定に際して好ましいセンサの複合体として実施されうる。
【００２４】
＜撮像部２５＞
撮像部２５は、小型のＣＭＯＳセンサやＣＣＤセンサを備えるカメラである。撮像部２５が撮像した画像は記憶部２２に保存され、必要に応じて制御部２３が撮像した画像に対して適切な画像認識等を実行することとなる。これについては第２．２節において例を示して説明する。
【００２５】
＜位置情報取得部２６＞
位置情報取得部２６は、全地球無線測位システム（ＧＰＳ）を用いることでウェアラブルデバイス２の地球上における位置情報を取得する。例えば、ウェアラブルデバイス２を装着したユーザが、どの温泉施設にいるかといった情報を位置情報取得部２６によって取得することができる。これについては第３節において例を示して説明する。
【００２６】
＜情報提示部２７＞
情報提示部２７は、ユーザの視覚、聴覚、又は触覚を刺激することで情報を提示する部であり、例えば、ディスプレイ２７ａ（図１０等において図示）、スピーカー（不図示）、バイブレータ（不図示）等の複合体であることが好ましい。特に、情報提示部２７は、制御部２３によって判定された入浴の危険性に基づいて、ユーザに入浴に関する適切な情報を提示することができる。例えば、提示する情報としては、危険性が高い（＝危険な）不適切な入浴条件について警告（文字情報、音声情報、振動等）を発することや、危険性が低い（＝安全な）適切な入浴条件を提示（文字情報、音声情報、振動等）すること等が挙げられる。
【００２７】
１．２  データベースサーバ３
図１及び図２に示されるように、データベースサーバ３（特許請求の範囲における「サーバ」、「外部サーバ」の一例）は、記憶部３１と、特徴抽出部３２（人工知能）とを備える。もちろん、有線又は無線ＬＡＮネットワーク通信等によってインターネットと接続されることで、ウェアラブルデバイス２や端末４との情報の送受信が可能な構成を有している。以下各構成要素について更に説明する。
【００２８】
＜記憶部３１＞
記憶部３１は、第１及び第２情報と、特徴データとを記憶する。これは、例えばハードディスクドライブ（Ｈａｒｄ  Ｄｉｓｋ  Ｄｒｉｖｅ：ＨＤＤ）やソリッドステートドライブ（Ｓｏｌｉｄ  Ｓｔａｔｅ  Ｄｒｉｖｅ：ＳＳＤ）等のストレージデバイスとして実施されうる。もちろん、プログラムの演算に係る一時的に必要な情報（引数、配列等）を記憶するランダムアクセスメモリ（Ｒａｎｄｏｍ  Ａｃｃｅｓｓ  Ｍｅｍｏｒｙ：ＲＡＭ）等のメモリとしても実施され、これらの組合せであることが好ましい。第１及び第２情報と、特徴データとについては、第２節において詳述する。
【００２９】
＜特徴抽出部３２＞
特徴抽出部３２は、入力された情報群から何らかの特徴を抽出する人工知能としての機能を有する部である。特に、特徴抽出部３２は、第１情報を参考に第２情報から特徴を抽出して特徴データを生成することに留意されたい。より詳細には、特徴データは、第１情報に基づいて入浴条件と入浴による効果の予測モデルを立て、続いて、当該予測モデルを基に、第２情報に対してニューラルネットワークを用いた特徴抽出を実行することによって決定されたデータベースを構成するデータであることに留意されたい（詳細は、第２節を参照）。
【００３０】
１．３  端末４
図３は、端末４の構成概要を示す機能ブロック図である。図示の通り、端末４は、通信部４１と、記憶部４２と、制御部４３と、表示部４４と、入力部４５を有し、これらの構成要素が端末４の内部において通信バス４０を介して接続されている。端末４の所有者は図１においては、ユーザとは異なる１人の人物として描かれているが、実際は不特定多数であることが好ましく、更にウェアラブルデバイス２を装着しているユーザ自身が端末４を使用してもよい。以下各構成要素について更に説明する。
【００３１】
＜通信部４１＞
端末４は、ポータビリティの高いスマートフォンやタブレット端末が好ましい。通信部４１は、無線ＬＡＮネットワーク通信、ＬＴＥ／３Ｇ等のモバイル通信、Ｂｌｕｅｔｏｏｔｈ通信等を含む複数の通信手段の集合として実施することが好ましい。特に、ＬＴＥ／３Ｇ等のモバイル通信によってインターネットと接続されることで、使用場所の制限がほとんどなくデータベースサーバ３との情報の送受信が可能な構成を有するとよい。
【００３２】
＜記憶部４２＞
記憶部４２は、制御部４３が実行するための種々のプログラム等を記憶する。これは、例えばソリッドステートドライブ（Ｓｏｌｉｄ  Ｓｔａｔｅ  Ｄｒｉｖｅ：ＳＳＤ）等のストレージデバイスとして実施されうる。また記憶部４２は、プログラムの演算に係る一時的に必要な情報（引数、配列等）を記憶するランダムアクセスメモリ（Ｒａｎｄｏｍ  Ａｃｃｅｓｓ  Ｍｅｍｏｒｙ：ＲＡＭ）等のメモリとしても実施されうる。また、これらの組合せであってもよい。
【００３３】
＜制御部４３＞
制御部４３は、端末４に関連する全体動作の処理・制御を行う。制御部４３は、例えば不図示の中央処理装置（Ｃｅｎｔｒａｌ  Ｐｒｏｃｅｓｓｉｎｇ  Ｕｎｉｔ：ＣＰＵ）である。制御部４３は、記憶部４２に記憶された所定のプログラムを読み出すことによって、端末４に係る種々の機能を実現する。特に制御部４３は、表示部４４に表示されたＧＵＩの動き処理を実行する。
【００３４】
＜表示部４４＞
表示部４４は、ポータビリティの高いことを考慮して端末４自体に含まれるものを想定しているが、これに限らず外付けされるものであってもよい。内蔵／外付け含め、ＣＲＴディスプレイ、液晶ディスプレイ、有機ＥＬディスプレイ及びプラズマディスプレイ等の表示デバイスを、必要に応じて使い分けて実施することが好ましい。表示部４４は、制御部４３による所定の制御信号に応答して、ＧＵＩの画面を選択的に表示しうる。なお、ＧＵＩについて補足すると、例えば、アイコン、スライドバー、ラジオボタン等といった具体的なインターフェースが表示されうる。後述のソーシャルネットワークサービス（ＳＮＳ）のウェブサイトの表示もここで行われうる。
【００３５】
＜入力部４５＞
入力部４５は、例えば、端末４自体に含まれるものであってもよいし、外付けされるものであってもよい。特に、入力部４５は、表示部４４に重畳的に設けられたタッチパネルとして実施されることが好ましい。もちろん、スイッチボタン、マウス、キーボード、音声入力等のユーザインターフェースを適宜採用してもよい。入力部４５を介して、ユーザの指示（コマンド）を受け付ける。当該指示は、通信バス４０を介して制御部４３に転送され、制御部４３が必要に応じて所定の制御や演算を実行しうる。特に本実施形態においては、端末４の使用者がソーシャルネットワークサービス（ＳＮＳ）に記事を投稿する際に、入力部４５が用いられる。かかる投稿記事は、第１情報としてサーバデータベースに記憶される。これについては、第２．１節において詳述する。
【００３６】
２．特徴データの生成
第２節では、特徴データの生成について説明する。前述の通り、特徴データは、データベースサーバ３における記憶部３１に記憶されているもので、インターネットを介してその全部又は一部がウェアラブルデバイス２における記憶部２２にも同期されている。以下、入浴に関する医学的知見と入浴体験者の主観的知見とを含む知見情報とを分類した第１及び第２情報を説明した上で、特徴データの生成について詳述する。
【００３７】
２．１  第１情報
本実施形態において、第１情報は「入浴に関する公知の知見に基づく公知情報を含む情報」と定義される。例えば、第１情報には、これまでに学術的に医師等によって提唱されてきた医学的知見が含まれうる。また、入浴体験者の主観的知見として、入浴に関してＳＮＳ等といったインターネット上に公開された記事（投稿内容）や入浴に関する特定多数又は不特定多数を対象としたアンケートもここに含まれうる。
【００３８】
図４は、端末４を用いたＳＮＳ投稿の一例が示されている。端末４の使用者が、入浴に関する記事をＳＮＳに投稿している（ここでは、いわゆるつぶやき系のアプリケーションを想定）。例えば、図４に示されるようなつぶやきであれば、これに既存の自然言語処理を経て、「ＡＢＣ温泉＋４０度＋気持ち良い＋温まる＋寝られる」といった情報が第１情報として蓄積される。
【００３９】
図５〜図７は、実際に行われた特定多数を対象とした温泉に関するアンケート結果の一例が示されている。何れも文字が大きいものほど、アンケート結果に多くあった事項であることを表している。図５Ａ〜図５Ｃは、入浴した温泉の水温別に感想をまとめたものである。図６Ａ〜図６Ｃは、温泉の利用頻度別に感想をまとめたものである。図７Ａ〜図７Ｄは、入浴した温泉の入浴時間別に感想をまとめたものである。
【００４０】
２．２  第２情報
本実施形態において、第２情報は「過去に複数のユーザが行った入浴に関する客観的情報と、それらのユーザの前記入浴に対する無意識の主観的情報とを紐づけた情報」と定義される。客観的情報とは、過去に複数のユーザが行った入浴に際してその水温、水質、環境温度といった非生体情報と、心拍数、運動量、血圧、血中酸素濃度、及び血中アルコール濃度といった生体情報とを含むものと留意されたい。一方、無意識の主観的情報（特許請求の範囲における「入浴体験者の主観的知見の一部」の一例）とは、ウェアラブルデバイス２が検出したユーザの無意識的な入浴に関する感想、意見、効果等に係る情報の総称である。例えば、ユーザが入浴中に無意識につぶやいた独り言や入浴中の表情等が挙げられる。
【００４１】
図８は、ウェアラブルデバイス２を用いた第２情報の取得の一例を示している。なお、客観的情報のうち非生体情報はウェアラブルデバイス２によって取得されてもよいが、入浴施設別に設けられたセンサや撮像部等で適宜取得してもよい。ウェアラブルデバイス２によって非生体情報を取得する場合、例えば水温を取得するために不図示の温度センサが設けられていてもよい。或いは、撮像部２５が予め設けられている水温表示計を撮像し、制御部２３が記憶部２２に記憶された所定の画像処理プログラムを読み込んで、当該水温を取得可能に実施してもよい。かかる情報が第２情報としてデータベースサーバ３における記憶部３１に蓄積される。換言すると、データベースサーバ３の記憶部３１に記憶された特徴データは、インターネットを介して追加、修正、削除を含む各情報の更新が可能に構成されるということに留意されたい。
【００４２】
特に、公知情報としての第１情報は、医学的知見のみであると統計データとして母数の少なさが懸念される。現実に温泉分野における学術研究では、母数の少ないデータが数多く発表されており、これを補う上でも、アンケートやソーシャルネットワークサービスによって得られた知見を含めることに意義があると考えられる。また、これらをそのまま用いるのではなく、これらをある種のモデルとして実際にユーザが無意識に発する主観を分析することで、より高精度な情報提示が実現されうる。情報提示の仕方については、第３節において例を挙げて説明するものとする。
【００４３】
２．３  特徴抽出
特徴抽出部３２は、記憶部３１に記憶された第１情報から予測モデルを構築する。続いて、特徴抽出部３２は、記憶部３１に記憶された第２情報に対してニューラルネットワークに基づく学習を実行する。かかる学習は、第１及び第２情報が恒常的に更新されていくさなか、継続的に実施することとなる。
【００４４】
図９は、ニューラルネットワークＮＮを用いた特徴抽出の模式図である。ニューラルネットワークＮＮは、種々のパラメータに基づく入力値が入力されるものであり、複数の計算ノードＮにより構成され、計算ノードＮ毎に予め定められた重みｗが設定されている。ここで、重みｗは、計算ノードＮの結合効率を表す量で、結合加重とも呼ばれるものである。ニューラルネットワークＮＮは、ソフトウェア又はハードウェアとして実装することができ、例えば、データベースサーバ３のファームウェア上に実装することができる。重みｗは、予め機械学習されることにより設定されてもよいし、データベースサーバ３における特徴抽出部３２により機械学習が実行されることにより設定されてもよい。
【００４５】
図９に示すように、ニューラルネットワークＮＮは、複数の層（第１層Ｌ１〜第４層Ｌ４）及び複数の計算ノードＮ（Ｎ＿１１〜Ｎ＿４１）により構成される。ここで、Ｎ＿ｉｊは、第ｉ層のｊ番目の計算ノードＮを表す。本実施形態では、ｉ＝４、ｊ＝５としてニューラルネットワークＮＮを構築している。なお、ｉ，ｊの値はこれに限定されず、例えばｉ＝１〜１００、ｊ＝１〜１００の間の整数又は１００以上の整数とすることができる。
【００４６】
また、各計算ノードＮには、予め定められた重みｗが設定される。例えば、第２層の計算ノードＮ＿２３に着目した場合、計算ノードＮ＿２３と、一つ前の層である第１層の全計算ノードＮ＿１１〜Ｎ＿１５の間に、重みｗが設定される。重みｗは、例えば−１〜１の値に設定される。
【００４７】
ニューラルネットワークＮＮには、種々のパラメータが入力される。本実施形態では、第２情報に含まれる情報項目、すなわち、客観的情報である水温、水質及び環境温度や、無意識の主観的情報である独り言や表情が、ニューラルネットワークＮＮに入力されるパラメータとなる。
【００４８】
各パラメータは、０〜１の値に正規化され、各種パラメータにより規定される入力信号を第１層Ｌ１に入力する。かかる入力信号は、第１層の計算ノードＮ＿１１〜Ｎ＿１５から、第２層Ｌ２の計算ノードＮ＿２１〜Ｎ＿２５にそれぞれ出力される。このとき、計算ノードＮ＿１１〜Ｎ＿１５から出力された値に対し、計算ノードＮ毎に設定された重みｗを掛け合わせた値が計算ノードＮ＿２１〜Ｎ＿２５に入力される。これをもう一度繰り返すと、第３層Ｌ３の計算ノードＮ＿３１〜Ｎ＿３５となる。
【００４９】
計算ノードＮ＿３１〜Ｎ＿３５の入力値を足し合わせ、かかる値（又はこれに所定のバイアス値を加算した値）を所定の活性化関数に入力する。そして、活性化関数の出力値が次ノードである計算ノードＮ＿４１に伝搬される。このとき、計算ノードＮ＿３１〜Ｎ＿３５と計算ノードＮ＿４１の間との間に設定された重みｗと上記出力値を掛け合わせた値が計算ノードＮ＿４１に入力される。計算ノードＮ＿４１は、入力値を足し合わせ、合計値を出力信号として出力する。このとき、計算ノードＮ＿４１は、入力値を足し合わせ、合計値にバイアス値を加算した値を活性化関数に入力してその出力値を出力信号として出力してもよい。ここで、本実施形態では、出力信号の値は０〜１の値となるように調整されている。出力信号として、対応する特徴データが得られ、これらをデータベースとしてまとめて記憶部３１に記憶される。
【００５０】
３．入浴ナビゲーション
第３節では、ウェアラブルデバイス２を用いた入浴ナビゲーションについて説明する。
【００５１】
３．１  温泉施設での利用例
ウェアラブルデバイス２を装着したユーザが、ある温泉施設（ここではＡＢＣ温泉と呼ぶ）において入浴を考えている。ウェアラブルデバイス２における位置情報取得部２６は、ユーザの位置情報（ＡＢＣ温泉に所在）を取得し、これを記憶部２２が一時的に記憶する。すると、制御部２３は、生体情報測定部２４によって取得された生体情報と記憶部２２に記憶された特徴データとに基づいて、ＡＢＣ温泉の入浴がユーザにとって適切かどうかを判断する。もちろん通信部２１がインターネット経由でデータベースサーバ３から特徴データの最新データを受信してこれを用いるように実施してもよい。換言すると、制御部２３は、ユーザの入浴の危険性（特許請求の範囲における「入浴判定情報」の一例）をユーザの入浴前に判定している（特許請求の範囲における「判定ステップ」の一例）。図１０は、このときのウェアラブルデバイス２の警告表示／情報提示の一例を示す模式図である。ユーザの血圧が低く、ＡＢＣ温泉の入浴が不適切（危険性が高い）である旨の警告を発している。また、ＡＢＣ温泉とは異なるＤＥＦ温泉（入浴施設名）が情報として提示されている（特許請求の範囲における「情報提示ステップ」の一例）。ここで特定の入浴施設名を挙げずに、好ましい水温、水質、又は環境温度等（危険性が低い）を提示するように実施してもよい。このような利用例の下、ユーザはより適切な入浴環境や入浴施設に誘導を促されることとなる。
【００５２】
３．２  家庭での利用例
ウェアラブルデバイス２を装着したユーザが自宅において入浴を考えている。ユーザは、ウェアラブルデバイス２における撮像部２５に、自宅の浴室に設けられた設定温度の温度表示計の表示を読み取らせ、これを記憶部２２が一時的に記憶する。また、不図示の温度センサが室温（環境温度）を自動的に取得し、これを記憶部２２が一時的に記憶する。すると、制御部２３は、生体情報測定部２４によって取得された生体情報と記憶部２２に記憶された特徴データとに基づいて、当該設定温度及び当該室温での入浴がユーザにとって適切かどうかを判断する。もちろん通信部２１がインターネット経由でデータベースサーバ３から特徴データの最新データを受信してこれを用いるように実施してもよい。換言すると、制御部２３は、ユーザの入浴の危険性をユーザの入浴前に判定している（特許請求の範囲における「判定ステップ」の一例）。図１１は、このときのウェアラブルデバイス２の警告表示／情報提示の一例を示す模式図である。例えば、ユーザが、水温４４度且つ環境温度（室温）８度で入浴しようとした場合に、当該入浴条件での過去の事故例を表示して入浴が不適切である旨の警告を発している。また、好ましい入浴条件情報が提示されている（特許請求の範囲における「情報提示ステップ」の一例）。このような利用例の下、ユーザはより適切な入浴環境や入浴施設に誘導を促されることとなる。
【００５３】
３．３  その他の応用例
【００５４】
第１に、ユーザごとに個別の設定をできるように実施してもよい。前述の通り、ユーザには個人差や好みが見られることから、個人差や好みを学習させたデータをユーザ個別のウェアラブルデバイス２の記憶部２２に記憶させるとよい。例えば、生体情報測定部２４によって睡眠状態の判別を可能に実施することで、ウェアラブルデバイス２に睡眠評価機能をもたせることができる。特に不眠ぎみのユーザには、危険性（事故防止）という観点とは別に快適性を観点として、よく眠れるという特徴がある入浴条件情報（例えば、図７Ｄに示される長めの入浴等）を提示するとよい。更に、肌荒れがひどいユーザには、肌に優しい入浴条件情報を積極的に情報として提示するとよい。例えば、ユーザが酸性硫黄泉の入浴後であれば、近隣の塩化物泉や硫黄塩泉に誘導するように情報を提示することができる。なお、これらの危険性及び／又は快適性を含む情報が、入浴判定情報に相当し、当該情報が制御部２３によって判定される。
【００５５】
第２に、浴場として自宅での入浴や温泉施設の例を上げているが、プールや海水浴等の水泳もこれに含まれうることに留意されたい（特許請求の範囲における「浴場」の一例）。例えば、日本国においては小学校での児童の水泳教育が義務付けられているが、登校前の検温以外に水泳授業参加への制限がないことが現状である。そこで、児童にウェアラブルデバイス２を装着させることで、生体情報測定部２４が児童（ユーザ）の体温を測定し授業直前に発熱した場合といった危険な水泳授業への参加を防止することができる。更に例えば、生体情報測定部２４が海水浴客（ユーザ）の血中アルコール濃度を測定し、これに対して警告を発するように実施すれば、飲酒に起因する海水浴場での事故を防止することができる。
【００５６】
第３に、上記のような応用例も特徴データに含まれるように、特徴データを生成するとよい。
【００５７】
４．結言
以上のように、本実施形態によれば、場所を限定されず、より高精度にユーザに入浴に関する情報を提示可能なウェアラブルデバイス、入浴ナビゲーションシステム、入浴ナビゲーション方法、及びプログラムを提供することができる。
【００５８】
なお、ウェアラブルデバイス２がインターネットに接続せずに、ウェアラブルデバイス２と他の端末（例えばユーザの所持する端末４）とがペアリングされていて、当該他の端末を介してデータベースサーバ３から特徴データの更新を実施してもよい。或いは、ウェアラブルデバイス２に不揮発性の記憶部を一切設けず、常にデータベースサーバ３の記憶部３１に記憶された特徴データを読み込むように実施してもよい。
【００５９】
また、ウェアラブルデバイス２における制御部２３に代えて、データベースサーバ３における制御部（不図示）が入浴の危険性の判定を行うように実施してもよい。より詳細に考えると、ウェアラブルデバイス２における通信部２１がインターネットを介して生体情報測定部２４より測定した生体情報をデータベースサーバ３に送信し、データベースサーバ３における制御部が当該生体情報と特徴データとに基づいて入浴の危険性の判定を行い、その結果を再びウェアラブルデバイス２に返すように実施すればよい。
【００６０】
具体的には、ユーザが装着可能なウェアラブルデバイス２が提供され、このウェアラブルデバイス２は、生体情報測定部２４と、記憶部２２と、制御部２３と、情報提示部２７とを備え、生体情報測定部２４は、ユーザの生体情報を測定し、記憶部２２は、入浴に関する医学的知見と入浴体験者の主観的知見とを含む知見情報に基づいて生成された特徴データの一部又は全部を記憶し、制御部２３は、生体情報測定部２４より測定された生体情報と、記憶部２２に記憶された特徴データとに基づいて、ユーザに対する入浴の危険性及び／又は快適性に関する情報を含む入浴判定情報を判定し、情報提示部２７は、前記入浴判定情報に基づいて適切及び／又は不適切な入浴条件に関する情報を提示する。
【００６１】
また、具体的には、データベースサーバ３と、ユーザが装着可能なウェアラブルデバイス２とを備え、これらがネットワーク（インターネット）を介して接続される入浴ナビゲーションシステム１が提供され、この入浴ナビゲーションシステム１では、データベースサーバ３は記憶部３１を備え、この記憶部３１は、入浴に関する医学的知見と入浴体験者の主観的知見とを含む知見情報に基づいて生成された特徴データを記憶可能に構成され、ウェアラブルデバイス２は、生体情報測定部２４と、通信部２１と、情報提示部２７とを備え、生体情報測定部２４は、ユーザの生体情報を測定し、通信部２１は、ネットワーク（インターネット）を介してデータベースサーバ３と生体情報及び／又は特徴データを受信可能に構成され、情報提示部２７は、入浴判定情報に基づいて適切及び／又は不適切な入浴条件に関する情報を提示し、ウェアラブルデバイス２及びデータベースサーバ３の少なくとも一方は、制御部（例えば制御部２３）を更に備え、入浴判定情報は、入浴の危険性及び／又は快適性に関する情報を含み、生体情報と特徴データとに基づいて、当該制御部によって判定される。
【００６２】
そして、このようなウェアラブルデバイス２を含む入浴ナビゲーションシステム１によって、入浴ナビゲーション方法が提供され、この方法では、判定ステップと、情報提示ステップとを備え、入浴に関する医学的知見と入浴体験者の主観的知見とを含む知見情報に基づいて生成された特徴データと定義した場合において、判定ステップでは、ユーザの生体情報と、特徴データとに基づいて、ユーザに対する入浴の危険性及び／又は快適性に関する情報を含む入浴判定情報を前記ユーザの入浴前に判定し、情報提示ステップでは、前記入浴判定情報に基づいて次の（１）及び（２）の少なくとも一方を提示し、（１）危険な入浴条件についての過去の事故例に関する情報（２）安全な及び／又は快適な入浴条件について、入浴施設名、水温、水質及び室温の少なくとも１つに関する情報、かかる提示された情報に基づいて、前記ユーザに適切な入浴環境・入浴施設に誘導を促す。
【００６３】
更に、ウェアラブルデバイス２をハードウェアとして実施するためのソフトウェアをプログラムとして実施することができる。かかるプログラムは、内蔵の記憶部に格納してもよく、コンピュータ読み取り可能な非一時的な記録媒体に格納してもよい。また、外部の記憶部に格納されたプログラムを読み出し、いわゆるクラウドコンピューティングにより実現してもよい。すなわち、コンピュータを生体情報測定部、判定部、情報提示部として機能させるためのプログラムが提供され、このプログラムでは、当該生体情報測定部、判定部、前記情報提示部は、生体情報測定機能、判定機能、及び情報提示機能をそれぞれ備え、入浴に関する医学的知見と入浴体験者の主観的知見とを含む知見情報に基づいて決定されたデータを特徴データと定義した場合において、生体情報測定機能によって、ユーザの生体情報を測定させ、判定機能によって、ユーザの生体情報と、特徴データとに基づいて、ユーザに対する入浴の危険性及び／又は快適性に関する情報を含む入浴判定情報を判定させ、情報提示機能によって、入浴判定情報に基づいて適切な及び／又は不適切な入浴条件に関する情報を提示させる。
【００６４】
最後に、本発明に係る種々の実施形態を説明したが、これらは、例として提示したものであり、発明の範囲を限定することは意図していない。当該新規な実施形態は、その他の様々な形態で実施されることが可能であり、発明の要旨を逸脱しない範囲で、種々の省略、置き換え、変更を行うことができる。当該実施形態やその変形は、発明の範囲や要旨に含まれるとともに、特許請求の範囲に記載された発明とその均等の範囲に含まれるものである。
【符号の説明】
【００６５】
１        ：入浴ナビゲーションシステム
２        ：ウェアラブルデバイス
２０      ：通信バス
２１      ：通信部
２２      ：記憶部
２３      ：制御部
２４      ：生体情報測定部
２５      ：撮像部
２６      ：位置情報取得部
２７      ：情報提示部
２７ａ    ：ディスプレイ
３        ：データベースサーバ
３１      ：記憶部
３２      ：特徴抽出部
４        ：端末
４０      ：通信バス
４１      ：通信部
４２      ：記憶部
４３      ：制御部
４４      ：表示部
４５      ：入力部
Ｌ１      ：第１層
Ｌ２      ：第２層
Ｌ３      ：第３層
Ｌ４      ：第４層
Ｎ        ：計算ノード
ＮＮ      ：ニューラルネットワーク
Ｎ＿ｉｊ  ：計算ノード
ｗ        ：重み
【図１】
2019200448.tif 000003
【図２】
2019200448.tif 000004
【図３】
2019200448.tif 000005
【図４】
2019200448.tif 000006
【図５】
2019200448.tif 000007
【図６】
2019200448.tif 000008
【図７】
2019200448.tif 000009
【図８】
2019200448.tif 000010
【図９】
2019200448.tif 000011
【図１０】
2019200448.tif 000012
【図１１】
2019200448.tif 000013